(57)【要約】方法、装置及びシステムは、移動ノードへの正確なアクセスを提供する。気付アドレス（“COA”）の要求は妨害され、要求内の移動ノードホスト名は選択設定名で置換される。これらの変更された要求は、次に、ネットワーク・スタックの下へ送られる。同様に、COA要求への応答もまた妨害され、選択設定名は移動ノードホスト名で置換される。これらの応答は、次に、ネットワーク・スタックの上へ送られうる。モバイルIP登録要求拡張子は、移動ノードホスト名と移動ノードホームアドレスとの間でドメイン名サービス（“DNS”）サーバーでのマッピング入力を作るために使用されうる。このマッピング入力は、移動ノードがそのホスト名によって断続的に到達可能であることを確実にする。
2006521034.tif 000002
【特許請求の範囲】
【請求項１】
移動ノードへの信頼性のあるアクセスを確実にする方法であって、
移動ノードホスト名を有する気付アドレス（“COA”）要求を妨害し、
該COA要求中の該移動ノードホスト名を選択設定名で置き換え、
該選択設定名を有する該COA要求をサーバーに送信することを特徴とする方法。
【請求項２】
更に、該サーバーからの、該選択設定名を有するCOA応答を妨害し、
該選択設定名を該移動ノードホスト名で置き換え、
該移動ノードホスト名を有する該COA応答を該移動ノードに送信することを特徴とする、請求項１記載の方法。
【請求項３】
更に、ドメイン名サービス（“DNS”）サーバーでの該移動ノードホスト名及び該移動ノードのホームアドレスの入力をマッピングする登録要求を送信することを特徴とする、請求項２記載の方法。
【請求項４】
該登録要求の送信は、ホスト名拡張子を有するモバイルIP登録要求を送信することを特徴とする、請求項３記載の方法。
【請求項５】
前記サーバーは、動的ホスト制御プロトコル（“DHCP”）サーバーを有し、前記COA要求は、DHCP要求を有することを特徴とする、請求項１記載の方法。
【請求項６】
移動ノードへの信頼性のあるアクセスを確実にするシステムであって、
移動ノードホスト名を有する気付アドレス（“COA”）要求を送信する能力を有する該移動ノードと、
該COA要求を妨害し、該移動ノードホスト名を選択設定名で置き換える能力を有し、該COA要求を再送信する能力を更に有する構成モジュールと、
該COA要求を受信する能力を有するサーバーとを有することを特徴とするシステム。
【請求項７】
該サーバーは、該COA要求に応答し、COA応答を該移動ノードに送信する能力を更に有し、該応答は該選択設定名を有することを特徴とする、請求項６記載の方法。
【請求項８】
前記構成モジュールは、該COA応答を妨害し、該選択設定名を前記移動ノードホスト名で置き換える能力を更に有し、該構成モジュールは、該移動ノードホスト名を有する該COA応答を該移動ノードに送信する能力を更に有することを特徴とする、請求項７記載のシステム。
【請求項９】
該移動ノードホスト名及び該移動ノードのホームアドレスの入力をマッピングする能力を有するドメイン名サービス（“DNS”）サーバーを更に有する、請求項６記載のシステム。
【請求項１０】
前記サーバーは動的ホスト制御プロトコル（“DHCP”）を有し、前記COA要求はDHCP要求を有することを特徴とする、請求項６記載のシステム。
【請求項１１】
前記移動ノードは、前記構成モジュールを有することを特徴とする、請求項６記載のシステム。
【請求項１２】
移動ノードへの信頼性のあるアクセスを確実にするシステムであって、
移動ノードホスト名を有する気付アドレス（“COA”）要求を送信する能力を有する該移動ノードと、
該COA要求を妨害し、該移動ノードホスト名を選択設定名で置き換える能力を有し、該COA要求をサーバーに再送信する能力を更に有する構成モジュールとを有することを特徴とするシステム。
【請求項１３】
該構成モジュールは、該サーバーからの該選択設定名を有する該COA応答を妨害する能力を有し、該構成モジュールは、該選択設定名を該移動ノードホスト名で置き換える能力を更に有し、該構成モジュールは、該移動ノードホスト名を有する該COA応答を該移動ノードに送信する能力を更に有することを特徴とする、請求項１２記載のシステム。
【請求項１４】
前記サーバーは動的ホスト制御プロトコル（“DHCP”）を有し、前記COA要求はDHCP要求を有することを特徴とする、請求項１２記載のシステム。
【請求項１５】
前記移動ノードは、前記構成モジュールを有することを特徴とする、請求項１２記載のシステム。
【請求項１６】
移動ノードへの信頼性のあるアクセスを確実にする装置であって、
該移動ノードからの、移動ノードホスト名を有する気付アドレス（“COA”）要求を妨害する能力を有する構成モジュールを有し、
該構成モジュールは、該移動ノードホスト名を選択設定名で置き換え、該COA要求を再送信する能力を更に有することを特徴とする装置。
【請求項１７】
該構成モジュールは該選択設定名を有するCOA応答を妨害する能力を有し、該構成モジュールは、該選択設定名を該移動ノードホスト名で置き換える能力を更に有し、該構成モジュールは、該移動ノードホスト名を有する該COA応答を該移動ノードに再送信する能力を更に有することを特徴とする、請求項１６記載の装置。
【請求項１８】
命令が機械によって実行される時、機械に、
移動ノードからの、移動ノードホスト名を有する気付アドレス（“COA”）要求を妨害させ、
該移動ノードホスト名を選択設定名で置き換えさせ、
該選択設定名を有する該COA要求をサーバーに送信させる命令を保存している機械的アクセス媒体を有する物品。
【請求項１９】
該命令は、該機械によって実行される時、更に該機械に、
該サーバーからの該選択設定名を有するCOA応答を妨害させ、
該選択設定名を該移動ノードホスト名で置き換えさせ、
該移動ノードホスト名を有する該COA応答を該移動ノードに送信させることを特徴とする、請求項１８記載の物品。
【請求項２０】
該命令は、該機械によって実行される時、更に該機械に、ドメイン名サービス（“DNS”）サーバーでの該移動ノードホスト名及び該移動ノードのホームアドレスの入力をマッピングする登録要求を送信させることを特徴とする、請求項１９記載の物品。
【請求項２１】
該命令は、該機械によって実行される時、更に該機械に、ホスト名拡張子を有するモバイルIP登録要求を送信させることを特徴とする、請求項２０記載の物品。
【請求項２２】
前記サーバーは動的ホスト制御プロトコル（“DHCP”）サーバーを有し、前記COA要求はDHCP要求を有することを特徴とする、請求項１９記載の物品。
【発明の詳細な説明】
【技術分野】
【０００１】
本発明は、移動コンピューティングの分野、更に具体的に述べると、ローミング移動ノードへの正確なアクセスを確実にする方法、装置及びシステムに関する。
【背景技術】
【０００２】
ホスト名は固有の名前であって、これによってコンピュータ装置はネットワーク上で識別されうる。ホスト名は、使用者がこれら装置にアクセスするアドレスの代わりに固有の名前を使用することを可能にすることによって、コンピュータ装置へのアクセスを簡単にするために使用される。一般的に、ホスト名は、ドメイン名システム（“DNS”）サーバーによってインターネットアドレスにコード変換される。
【０００３】
移動コンピューティング環境でのホスト名の使用は、付加的な考慮を導入した。移動体コンピュータ装置（以後“移動ノード”）はますます大衆的になっているので、多様なプロトコルが移動コンピューティングの要求に対処するために発展してきた。例えば、移動ノードの使用者が、同じネットワークへの接続を保ち続けながら一つの場所から他の場所へ動く（“移動する”）ことを可能にするために、インターネット技術標準化委員会（“IETF”）は、ローミング規格（モバイルIPv4、IETF  RFC  3344掲載、2002年8月公開、以後“モバイルIPv4”、及び、モバイルIPv6、IETF  Mobile  IPv6、インターネット・ドラフト  draft-ietf-mobileip-ipv6-19.txt.（未完成）掲載、2002年10月公開、以後“モバイルIPv6”）を公布している。
【０００４】
モバイルIPv4は現在支配的な規格であり、多くのネットワークが、今日、モバイルIPv4に準拠している。モバイルIPv4は、ネットワークアクセス識別子（“NAI”）の概念を取り入れられている。NAIは、モバイルIPv4又はモバイルIPv6のどちらかに準拠するネットワークにおいて、移動ノードを独自に識別するために使用されても良い。移動ノードが一般的に一つのホスト名によって識別される一方で、それはまた、一つ以上のNAIに関連付けられても良い。ホスト名と同様に、NAIはまた、DNSサーバーによってインターネットアドレスにコード変換されても良い。
【発明の開示】
【発明が解決しようとする課題】
【０００５】
本発明の実施例は、ローミング移動ノードに確実にアクセスする方法、装置及びシステムを提供する。
【課題を解決するための手段】
【０００６】
本発明は、類似の構成要素を表わす添付の図を参照して例を用いて表わされるが、これに限定されない。
【０００７】
本発明の“一つの実施例”又は“実施例”に関する明細書中の参照は、実施例に関して記述された特定の特性、構造又は特徴が本発明の少なくとも一つの実施例に含まれることを意味する。従って、成句“一つの実施例において”、“一つの実施例によれば”、又は明細書中の様々な箇所でのそのような言い回しは、必ずしも全てがある実施例に関して言及しているわけでない。
【０００８】
図１は、既知の企業イントラネット（“企業イントラネット100”）構造を表わす。企業イントラネット100は、有線及び無線両方のネットワークを有しても良く、複数のサブネットを構成しうる。サブネットは、同じ共通アドレス書式を共有しうるネットワーク部分を参照する。例えば、トランスポート・コントロール・プロトコル／インターネット・プロトコル（“TCP/IP”）ネットワークにおいて、全てのサブネットは同じ第一の三つの組の数字（例えば、100.10.10）を使用しうる。
【０００９】
前述のように、移動ノード（以後“MN140”）はホスト名及びそれに関連付けられたNAIを有しうる。モバイルIPv4及び／又はモバイルIPv6の規格（以後“モバイルIP規格”と総称）に適合する移動ノードは今日、企業イントラネット100内のサブネットに渡って自由に移動しうる。MN140がそのホーム・サブネットを出るとき、それは、現在の伝送接続、及び二つの方法のうち一つでの一定の到達可能性を保ち続けうる。第一のシナリオでは、MN140は、それがそのホーム・サブネットを出る時にホーム・エージェント（“HA130”）に記録されうる。登録処理の間、MN140は、MN140の“気付アドレス”（以後“COA”）、即ちその新しいサブネット上のMN140のアドレスをHA130に知らせる。その後、HA130は、MN140にアドレス指定された全てのIPパケットを妨害し、該パケットをMN140のCOAへ経路変更する。MN140は一つのサブネットから他に動くので、MN140は、動的ホスト構成プロトコル（“DHCP”）又は他の類似なプロトコルを介して、新しいCOAを得る。HA130がパケットをMN140へ適切に経路変更できることを確実にするために、MN140は、それが企業イントラネット100上を移動するので、その新しいCOAでHA130を断続的に更新する。この構成は、一般的に“同一場所配置”通信モードと呼ばれる。
【００１０】
あるいは、モバイルIPv4に準拠するネットワークにおいて、MN140がそのホーム・サブネットから離れる時、それは、MN140の新しい（“移動先”）サブネット上の移動先エージェント（“FA135”）を介してHA130に記録しても良い。FA135で記録することによって、MN140は、HA130に登録する時にそのCOAとしてFA135のIPアドレスを使用しても良い。このシナリオにおいて、HA130はMN140にアドレス指定された全てのパケットを妨害するが、これらパケットは、今度はFA135、即ちHA130に供給されたものと同じMN140のCOAに経路変更される。FA135は、それが全てのパケットを受信し、移動先サブネット上の現在の場所でMN140に適切なパケットを送ることを調べる。この構成は、一般的に“非同一場所配置”通信モードと呼ばれる。同一場所配置又は非同一場所配置モードを使用するべきか否かの決定は、当業者に良く知られる。特定のネットワークは、例えば、MN140にその伝送接続を維持するためにFA135で記録させうる。他のネットワークにおいて、MN140は、FA135で記録するか、あるいは同一場所配置モードで動作するかという選択を有しうる。
【００１１】
要約すると、MN140がサブネットに渡って移動する時、それは、(i)ホスト名、(ii)NAI、(iii)不変のホームアドレス、(iv)COAに関連付けられる。当業者によって容易に理解されるように、MN140に関するこれら複数の識別子は、MN140が移動するので、不一致を引き起こしうる。これら不一致の詳細は、以下で記述される。
【００１２】
図２は、MN140がモバイルIPv4規格に従うように構成されうる多様な方法を表わす表である。表わされるように、移動ノードは、六つのシナリオのうちの一つによって構成されうる。シナリオ1において、同一場所配置モードでのMN140は、そのホスト名とは異なるNAIを割り当てられうる。MN140がそのCOAを得る時（例えば、DHCP又は他の類似なプロトコルを介して）、マッピング入力はDNSサーバーで与えられ、該COAを｛ホスト名，COA｝のようにMN140のホスト名にマッピングする。このCOAは、MN140がサブネットに渡って移動するので、断続的に変化しうる。更に、MN140は、HA130への登録要求においてNAI拡張子によってそのホームアドレスを得るように構成されうる。HA130は、HA130のIPアドレス・プールから提供されるMN140へのホームアドレスを発し、あるいは、DHCP（又は他の類似のプロトコル）要求を介してDHCPサーバーからのホームアドレスを要求しうる。後述の例において、HA130の要求に応じて、DHCPサーバーはMN140にホームアドレスを発し、DNSサーバーにDNSサーバーでのマッピング入力｛NAI，MN_H｝を与えるための更新を送りうる。前述のように、通信者ノード（“CN”）は、そのNAI及び／又はホスト名を用いてMN140に到達することを試みうる。上述のシナリオ１において、CNがMN140のホスト名を用いてMN140にアクセスしようとする場合、MN140のホームアドレスに分割される代わりに、ホスト名はMN140のCOAに分割される。この通信は、NM140の移動接続性の保持を担うHA130を介して送られないので、MN140は、そのホスト名によって正確に到達されなくても良い。
【００１３】
シナリオ２において、非同一場所配置モードでの移動ノード140は、そのホスト名とは異なるNAIを割り当てられうる。MN140は、先と同様に、NAI登録を介してそのホームアドレスを得るように構成されうるので、結果としてDNSサーバーでのマッピング入力｛NAI，MN_H｝を生ずる。この非同一場所配置において、MN140は、HA140で記録する時、そのCOAとしてFA135のアドレスを使用しても良い。従って、シナリオ１とは異なり、MN140はCOAを取得せず、DNSサーバーでホスト名とCOAとの間のマッピングを生じる。結果として、DNSサーバーでMN140のホスト名に対して全くマッピング入力が存在せず、CNは、そのホスト名によってMN140に到達し得ない。更に、このシナリオは、DNSサーバーでのMN140のホスト名に対してマッピング入力をトリガーしないが、それにも関わらずDNSサーバーは、その結合テーブルで古い入力を依然として有しうる（例えば、MN140のホスト名は、前の構成からの古いCOAに依然としてマッピングされうる）。この状況において、CNがそのホスト名によってMN140に到達することを試みる時、ホスト名はDNSサーバーで古いCOAに分離され、結果としてCNはMN140に到達できない。
【００１４】
シナリオ３において、同一場所配置モードでのMN140は、そのホスト名と同じであるNAIを割り当てられうる。シナリオ１で上述されたように、DNSサーバーは、｛NAI，MN_H｝及び｛ホスト名，COA｝のマッピングを有しうる。しかし、この状況において、NAI及びホスト名は同一であるので、DNSサーバーでのマッピングは、MN140のホスト名とNAIとの間のIPアドレス競合によって予測不可能でありうる。該マッピングは、夫々を無効にし、該マッピングがDNSサーバーに入力される命令を与える。結果として、そのホスト名又はNAIのどちらかによるMN140へのアクセスは、よく見ても、予測不可能でありうる。
【００１５】
シナリオ４において、非同一場所配置モードでのMN140は、そのホスト名と同じであるNAIを割り当てられうる。このシナリオは、上のシナリオ２で記述されたように、NAIがDNSサーバーでMN140の不変のホームアドレス｛NAI，MN_H｝にマッピングされるので、如何なる問題も持ち込まない。しかし、この状況において、NAIはホスト名と同じであるので、ホスト名に対するマッピングは存在しないという事実にも関わらず、MN140はそれでもなお到達可能である。即ち、そのホスト名を用いてMN140に到達することを試みるCNは、DNSサーバーでMN_Hに分離されるMN140のNAIと同じ名を入力する。
【００１６】
シナリオ５において、同一場所配置モードでのMN140は、静的ホームアドレスを割り当てられえ（企業のIT部門によって）、マッピングはまた、DNSサーバーで｛ホスト名，MN_H｝のように与えられうる。しかし、MN140が移動し、COAを得るので、第二の入力が更にDNSサーバーで｛ホスト名，COA｝のように与えられうる。MN140のホスト名に対する二つのマッピングは、ホスト名に対してIPアドレス競合を生ずる。更に具体的に述べると、ホスト名に対する第二のマッピングは、第一のマッピングを上書きし、DNSサーバーで｛ホスト名，COA｝のマッピングを残しうる。結果として、上のシナリオ１で記述されたように、MN140は、ホスト名がMN140のCOAにマッピングされうるので、もはやそのホスト名を用いて正確に到達することが可能ではない。
【００１７】
最後のシナリオ、即ちシナリオ６において、非同一場所配置モードでのMN140は、静的ホームアドレスに割り当てられえ、結果としてDNSサーバーで｛ホスト名，MN_N｝のマッピング入力を生ずる。当業者によって容易に理解されるように、このシナリオは、非同一場所配置において、他のマッピング入力がDNSサーバーでMN140に対して与えられないので、問題を提示しない。従って、CNは、ホスト名によって正確にMN140に到達しえる。
【００１８】
要約すると、上記のシナリオ１、２、３及び５は、MN140がサブネットからサブネットへ移動する間、MN140に関する多様なアクセス可能性問題を生ずる。本発明の実施例は、設定された選択名を用いることによってこれらの問題を解決する。更に具体的に述べると、本発明の実施例において、MN140からのCOAを要求し、このような要求に応答するDHCPは、MN140内で妨害され、設定された選択名及びホスト名の夫々で置き換えられる。これは、DNSサーバーでのCOAへのホスト名マッピングを除去し、従って、上述されている問題を解消する。設定された選択名を用いるというこの概念は、図３を参照して以下で更に詳細に記述される
【発明を実施するための最良の形態】
【００１９】
図３は、本発明の実施例によるMN140でのモバイルIPネットワーク・スタックを表わす。ネットワーク・スタック、及び“上へ”及び“下へ”という伝言をネットワーク・スタックに伝える、という概念は、当業者によく知られており、その更なる詳細は、本発明を不必要に分かりにくくしないために、この点で省略される。表わされるように、モバイルIP層（“MIPデータ層303”）は、COAを取得するためにMN140によって送られたDHCP要求（以後“COA要求”と呼ぶ）を妨害する。しかし、ネットワークの下へ（即ち、リンク層302及び物理層301へ）要求を直接的に送る代わりに、本発明の一つの実施例によれば、構成モジュール305（MIPデータ層303内に含まれているように概念的に表わされる）は、設定された選択名を用いてCOA要求でMN140のホスト名を置き換えうる。この設定された選択名は、その時、ネットワーク・スタックの下へ、即ちリンク層302及び物理層301へ送られても良い。一つの実施例において、COA要求はDHCP要求であり、DHCPサーバーは、要求を処理し、COA割り当てを有するDHCP応答（以後“COA応答”と呼ぶ）を返送されても良い。このCOA応答を受信すると、構成モジュール305は、実際のホスト名に応じて設定された選択名を置き換え、COA応答をネットワーク・スタックの上へ、即ちTCP/IP層304へ送りうる。
【００２０】
当業者によって容易に理解されるように、上述の実施例によってCOA要求及びCOA応答を妨害し変更することによって、MN140のホスト名は、DNSサーバーでそのCOAにもはやマッピングされえない。従って、DNSサーバーでMN140のホスト名に対するあるマッピングが存在することを確実にするために、本発明の一つの実施例において、新たな登録要求拡張子（“ホスト名拡張子”）が使用されても良い。ホスト名拡張子は、モバイルIPv4規格で明記されている指針によって付与され、DNSサーバーでMN140のホスト名とMNのホームアドレスとの間のマッピング入力｛ホスト名，MN_H｝の作成を要求するHA130に情報を与えるように構成されても良い。この方法で、HA130は、MN140のホスト名が、DNSサーバーでMN140のホームアドレスに断続的にマッピングされることを確実にしうる。MN140のNAIは、ホームアドレス｛NAI，MN_H｝にマッピングされ続ける。本発明の一つの実施例によれば、これら二つのマッピングは、ホスト名及びNAIが同じであるにも関わらず、MN140がそのホスト名及びNAIの両方を介して到達可能であることを可能にする。
【００２１】
図４は、本発明の実施例を説明するフローチャートである。以下の動作は連続的な手順として記述されても良いが、実際には、動作の多くは、並行して、あるいは同時に実行されうる。更に、該動作の順序は、本発明の実施例の精神から逸れずに、再配置されうる。401では、COA要求又はCOA応答が妨害されうる。要求及び／又は応答は、402で調べられうる。COA要求の場合には、該要求中の移動ノードホスト名は、403で設定された選択名によって置き換えられ、404でネットワーク・スタックの下へ送られうる。あるいは、COA応答の場合には、405において、設定された選択名は移動ノードによって置き換えられ、該応答は、406でネットワーク・スタックの上へ送られうる。更に、これらの事象の間又は後より前の如何なる点においても、移動ノードのホーム・エージェントは、407において、DNSサーバーでのマッピング入力の作成を要求し、移動ノードのホスト名を移動ノードのホームアドレスにマッピングしうる。
【００２２】
本発明の実施例による移動ノード、ホーム・エージェント及び移動先エージェントは、様々なデータ処理装置で実施されうる。これらデータ処理装置が様々なソフトウェアを有し、支援モバイルネットワークの能力を有する幾つかの装置から成り、メインフレーム、ワークステーション、パーソナルコンピュータ、ラップトップ型コンピュータ、持ち運び可能な手持ちサイズのコンピュータ、PDA及び／又は携帯電話を含むがこれらに限定されないことは、当業者によって容易に理解される。実施例において、移動ノードは、ラップトップ型コンピュータ、手持ちサイズのコンピュータ装置、パーソナル・デジタル・アシスタント及び／又は携帯電話のような、持ち運び可能なデータ処理システムから成っても良い。一つの実施例によれば、ホーム・エージェント及び／又は移動先エージェントは、パーソナルコンピュータ、ワークステーション及び／又はメインフレーム・コンピュータのような、データ処理装置から成っても良い。別の実施例において、ホーム・エージェント及び移動先エージェントはまた、移動ノードを実施するために使用される物と似通った、持ち運び可能なデータ処理システムから成っても良い。
【００２３】
本発明の実施例によれば、データ処理装置は、本発明の実施例を達成するために、命令の実行能力を有する様々な構成要素を有する。例えば、データ処理装置は、少なくとも一つの機械的アクセス媒体を含有及び／又は機械的アクセス媒体に結合しうる。本明細で使用されているように、“機械”は、一つ又はそれ以上の処理器を有する如何なるデータ処理装置をも有するが、それらに限定されない。本明細で使用されているように、機械的アクセス媒体は、データ処理装置によってアクセス可能な如何なる形式での情報も保存及び／又は伝送する如何なる機構も有し、該機械的アクセス媒体は、追記型／非追記型の媒体（例えば、書き込み専用メモリ（ROM）、ランダム・アクセス・メモリ（RAM）、磁気ディスク記憶媒体、光記憶媒体及びフラッシュメモリ装置）、及び、伝播信号（例えば、搬送波、赤外線信号及びデジタル信号）の電気的、光学的、音響的、又は他の形式をも有するが、それらに限定されない。
【００２４】
実施例によれば、データ処理装置は、一つ又はそれ以上の処理器のような、他の様々な既知の構成要素を有しても良い。該処理器及び機械的アクセス媒体は、ブリッジ／メモリ制御器を用いて伝達結合されうる。処理器は、機械的アクセス媒体に保存された命令を実行する能力を有しうる。ブリッジ／メモリ制御器は、画像制御器に結合されても良く、該画像制御器は、表示装置での表示データの出力を制御しうる。ブリッジ／メモリ制御器は、一つ又はそれ以上のバスに結合されても良い。ユニバーサル・シリアル・バス（“USB”）ホスト制御器のような、ホストバスのホスト制御器は該バスに結合されても良く、複数の装置がUSBに結合されても良い。例えば、キーボード及びマウスのようなユーザー入力装置は、入力データを供給するデータ処理装置に含まれても良い。
【００２５】
前述で、本発明は、その特定の模範的な実施例を参照して記述された。しかし、請求項に記載されているように、様々な変形及び変更が、本発明の実施例の更に広義な精神及び目的から逸れることなく、それに対して成されても良いことが、十分理解される。従って、明細書及び図は、限定的というよりむしろ実例的な意義で考えられるべきである。
【図面の簡単な説明】
【００２６】
【図１】従来の企業イントラネット構造を表わす図である。
【図２】MN140が構成されうる多様な方法を表わす表である。
【図３】本発明の実施例によるモバイルIPネットワーク・スタックを表わす図である。
【図４】本発明の実施例を説明するフローチャートである。
【図１】
2006521034.tif 000003
【図２】
2006521034.tif 000004
【図３】
2006521034.tif 000005
【図４】
2006521034.tif 000006
【国際調査報告】
2006521034.tif 000007
2006521034.tif 000008
2006521034.tif 000009